(57)【要約】【課題】クリップに挟まれた被挟持物がクリップから外れる方向に引っ張られた場合に、挟む力を一時的に強くすることができるクリップ及びこれを備えるハンガーを提供すること。【解決手段】本発明のクリップは、被挟持物（２５）を挟持するためのクリップであって、一対のクリップ片（１，２）が互いに回動自在に連結されているクリップ本体（５）と、クリップ本体の挟持力を高めるための挟持力向上部材（６，７）と、挟持力向上部材をクリップ本体に支持させるための固定手段（８）とを備え、挟持力向上部材が、クリップ本体の先端部の間に配置され被挟持物と共にクリップ本体に挟まれる滑り止め部（６ａ，７ａ）と、滑り止め部と連結されると共にクリップ片に固定手段で固定されることにより滑り止め部が被挟持物から受ける摩擦力をクリップ本体に伝える伝播部（６ｂ，７ｂ）とを有することを特徴とする。【選択図】図２
2007209738.tif 000002
【特許請求の範囲】
【請求項１】
被挟持物を挟持するためのクリップであって、
一対のクリップ片が互いに回動自在に連結されているクリップ本体と、
前記クリップ本体の挟持力を高めるための挟持力向上部材と、
前記挟持力向上部材を前記クリップ本体に支持させるための固定手段とを備え、
前記挟持力向上部材が、前記クリップ本体の先端部の間に配置され前記被挟持物と共に前記クリップ本体により挟まれる滑り止め部と、前記滑り止め部と連結されると共に前記一対のクリップ片の少なくとも一方とに前記固定手段で固定されることにより前記滑り止め部が前記被挟持物から受ける摩擦力を前記クリップ本体に伝える伝播部とを有することを特徴とするクリップ。
【請求項２】
二つの前記滑り止め部を備え、前記滑り止め部が前記一対のクリップ片のそれぞれに沿って摺動自在に設けられていることを特徴とする請求項１記載のクリップ。
【請求項３】
前記滑り止め部が、前記クリップ本体の先端部が開いたときに前記一対のクリップ片と離間するように設けられていることを特徴とする請求項１記載のクリップ。
【請求項４】
前記固定手段が、前記クリップ本体の回動支点よりも前記クリップ本体の基端側の位置に設けられていることを特徴とする請求項１〜３のいずれか一項に記載のクリップ。
【請求項５】
被挟持物を挟持するためのクリップであって、
一対のクリップ片が互いに回動自在に連結されているクリップ本体と、
前記一対のクリップ片の間に配置され、両端部がそれぞれ前記クリップ本体の各クリップ片と当接して前記クリップ本体に挟持力を付与するバネと、
前記クリップ本体の挟持力を高めるための挟持力向上部材と、
前記挟持力向上部材を前記クリップ本体に支持させるための固定手段とを備え、
前記挟持力向上部材が、前記クリップ本体の先端部の間に配置され前記被挟持物と共に前記クリップ本体により挟まれる滑り止め部と、前記滑り止め部と連結されると共に前記バネの両端部の少なくとも一方とに前記固定手段で固定されることにより前記滑り止め部が前記被挟持物から受ける摩擦力を前記クリップ本体に前記バネを介して伝える伝播部とを有することを特徴とするクリップ。
【請求項６】
請求項１〜５のいずれか一項に記載のクリップと、前記クリップを装着するためのハンガー本体とを備えるハンガーであって、前記ハンガー本体は、当該ハンガーを掛けるためのフックと、前記フックと連結され前記クリップの回動支点を形成する棒とを有することを特徴とするハンガー。
【発明の詳細な説明】
【技術分野】
【０００１】
本発明はクリップ及びこれを備えるハンガーに関するものである。
【背景技術】
【０００２】
スカートやパンツなどの衣類はハンガーに設けられたクリップに挟まれた状態で運搬されたり、展示されたりする。衣類を挟む力が不充分なクリップを使用した場合、衣類が落下しやすい。他方、衣類を挟む力が過度に強いクリップを使用した場合、衣類のクリップに挟まれた部分に跡がついてしまったり、衣類をクリップから取り外しにくくなったりする。
【０００３】
衣類の落下を抑える手段としては、衣類を挟む力を強くすること、及び、衣類とクリップとが接する面積を増やして摩擦力を向上させること（特許文献１参照）が知られている。
【特許文献１】特開２００４−２３７０３８号公報
【発明の開示】
【発明が解決しようとする課題】
【０００４】
しかし、上記のような従来の手段を採用したクリップの場合、被挟持物（衣類やカーテンなど）を挟む力は、主に、クリップが備えるバネなどの弾性部材の弾性力で決まる。このため、クリップから被挟持物が外れる方向に衣類が引っ張られたとしても、これに応じてクリップの挟む力が向上することはない。
【０００５】
本発明は、クリップに挟まれた被挟持物がクリップから外れる方向に引っ張られた場合に、挟む力が強くなるクリップ及びこれを備えるハンガーを提供することを目的とする。
【課題を解決するための手段】
【０００６】
本発明のクリップは、被挟持物を挟持するためのクリップであって、一対のクリップ片が互いに回動自在に連結されているクリップ本体と、クリップ本体の挟持力を高めるための挟持力向上部材と、挟持力向上部材をクリップ本体に支持させるための固定手段とを備え、挟持力向上部材が、クリップ本体の先端部の間に配置され被挟持物と共にクリップ本体に挟まれる滑り止め部と、滑り止め部と連結されると共に一対のクリップ片の少なくとも一方とに固定手段で固定されることにより滑り止め部が被挟持物から受ける摩擦力をクリップ本体に伝える伝播部とを有することを特徴とする。なお、本発明のクリップにおいて、被挟持物が挟持される側を先端側といい、その反対側を基端側という。また、クリップの部位に関し、被挟持物を挟持する部分を先端部といい、先端部を開くためにつまむ部分を基端部という。
【発明の効果】
【０００７】
本発明によれば、クリップに挟まれた被挟持物がクリップから外れる方向に引っ張られた場合に、挟む力が強くなるクリップが提供される。本発明に係るクリップは、クリップから衣類が外れてしまうことを効果的に防止できる。これに加え、挟む力の向上を一時的なものとすることができるため、衣類のクリップに挟まれた部分に跡がつくことを十分に抑制できる。また、本発明によれば、上記クリップを備えるハンガーが提供される。
【発明を実施するための最良の形態】
【０００８】
以下、図面を参照しながら本発明のクリップの好適な実施形態について詳細に説明する。
【０００９】
図１は本発明のクリップの第１実施形態を示す斜視図である。図２は被挟持物を挟んだ状態の本実施形態に係るクリップ１０の断面図である。クリップ１０は、一対のクリップ片１，２が互いに回動自在に連結されているクリップ本体５及びクリップ本体５の挟持力を向上させる一対の挟持力向上部材６，７を備えている。挟持力向上部材６は、一対のクリップ片１，２の間に配置される滑り止め部６ａと、滑り止め部６ａが被挟持物２５から受ける摩擦力をクリップ片１に伝えるための伝播部６ｂを有している。同様に、挟持力向上部材７は、一対のクリップ片１，２の間に配置される滑り止め部７ａと、滑り止め部７ａが被挟持物２５から受ける摩擦力をクリップ片２に伝えるための伝播部７ｂを有している。挟持力向上部材６，７はそれぞれ、伝播部６ｂ，７ｂ設けられたネジ（固定手段）８によってクリップ片１，２の内面に沿うように配置されている。
【００１０】
滑り止め部６ａ，７ａはそれぞれ、クリップ片１，２の内側の面に沿って摺動自在に設けられている。ここで、摺動とは、接触状態ですり動く運動をいう。滑り止め部６ａ，７ａは、互いに対向する位置に設けられており、クリップ片１，２からの押圧力を受けて、被挟持物２５を挟持する。滑り止め部６ａ，７ａが上記のようにして設けられていると、滑り止め部６ａ，７ａの間に被挟持物２５を装着しやすいという利点がある。
【００１１】
クリップ片１，２には、被挟持物２５を挟むための押圧力が付与されている。この押圧力はクリップ片１，２の間に配置されるバネ３によって生じている。クリップ片１，２は、回動支点１５ｓを形成する芯棒１５によって回動自在に連結されている。なお、回動とは、正逆方向の円運動をいい、回動支点とはこの円運動の中心点のことをいう。
【００１２】
クリップ１０によれば、被挟持物２５に対して回動支点１５ｓから遠ざかる方向の力（以下、「被挟持物を引っ張る力」という。）Ｆが加わるとクリップ本体１０の挟持力が向上する。以下、挟持力が向上するメカニズムについて図３を参照しながら説明する。
【００１３】
図３は、被挟持物を引っ張る力Ｆが生じた場合にクリップ本体５が受ける力を示す断面図である。被挟持物２５を引っ張る力Ｆによって滑り止め部６ａ，７ａに生じる摩擦力は、伝播部６ｂ，７ｂを介してクリップ片１，２に伝わる。クリップ片１，２及び挟持力向上部材６，７はそれぞれ、伝播部６ｂ，７ｂで固定されており、他方、滑り止め部６ａ，７ａはそれぞれ、クリップ片１，２に沿って摺動自在に設けられているためである。したがって、クリップ片１，２はそれぞれ、挟持力向上部材６，７から先端部方向への引張力Ｆ１，Ｆ２を受ける。ここで、図３に示す通り、引張力Ｆ１は、回動支点１５ｓ方向の力Ｆ１ａと回動支点１５ｓを中心とする円Ｃの接線方向の力Ｆ１ｂに分解することができる。同様に、引張力Ｆ２は、回動支点１５ｓ方向の力Ｆ２ａと回動支点１５ｓを中心とする円Ｃの接線方向の力Ｆ２ｂに分解することができる。接線方向の力Ｆ１ｂ，Ｆ２ｂはいずれも、被挟持物２５が締付けられる方向にクリップ片１，２を回転させようとする力である。上記メカニズムによってクリップ本体５の挟持力が向上する。
【００１４】
クリップ１０の挟持力向上部材６，７はそれぞれ、ネジ８によってクリップ片１，２に支持されている。クリップ片１，２と伝播部６ｂ，７ｂとをそれぞれ固定するネジ８は、回動支点１５ｓよりもクリップ本体５の基端側に設けられている。ネジ８は必ずしも基端側に設けられている必要はない。しかし、ネジ８が回動支点１５ｓよりも基端側に設けられていると、先端側に設けられている場合と比較し、滑り止め部６ａ，７ａに生じる摩擦力は、より確実にクリップ本体５の挟持力を向上させる力に変換される。なお、挟持力向上部材をクリップ片に支持させるための固定手段としては、ネジ以外に例えば、接着剤による接着、クリップ片に設けられた金属部材による圧着、及び伝播部に形成された開口をクリップ片に設けられたフックに掛けることなどが挙げられる。
【００１５】
クリップ片１と滑り止め部６ａとの間及びクリップ片２と滑り止め部７ａとの間の摩擦はいずれも小さいことが好ましい。したがって、クリップ片１，２と滑り止め部６ａ，７ａとがそれぞれ接する部分に摩擦係数が小さい素材からなる部材を配置したり、滑り止め部６ａ，７ａがクリップ片１，２に対して円滑にスライドするような機構を採用したりしてもよい。他方、滑り止め部６ａ，７ｂの被挟持物２５と接する面は被挟持物との摩擦が大きいことが好ましい。このため、この面には複数の溝を形成することが好ましい。挟持力向上部材６，７の材料としては、例えば、軟質ビニール系材料を用いることができる。
【００１６】
なお、クリップ１０は二つの挟持力向上部材６，７を有しているが、一つの挟持力向上部材が片方のクリップ片に支持されていてもよい。ただし、本発明の目的を効果的且つ確実に達成する観点から、クリップ１０のように一対の挟持力向上部材がそれぞれ、別々のクリップ片に支持されていることが好ましい。
【００１７】
図４は本発明のクリップの第２実施形態を示す斜視図であり、図５は本実施形態に係るクリップ２０の断面図である。本実施形態に係るクリップ２０の一対の挟持力向上部材２６，２７は、滑り止め部２６ａ，２７ａがクリップ片１，２の先端部の一部を覆うような形状となっている。なお、クリップ２０の挟持力向上部材以外の構成は、クリップ１０と同様とすることができる。
【００１８】
図６は本発明のクリップの第３実施形態を示す断面図である。本実施形態に係るクリップ３０の一対の挟持力向上部材３６，３７は、伝播部３６ｂ，３７ｂの基端側にそれぞれ、クリップ片１，２の基端側の一部を覆うような形状の固定手段３６ｃ，３７ｃが設けられていることの他はクリップ２０と同様の構成である。なお、固定手段として、図７に示すように芯棒１５を挿入するための開口を有するクリップ片の中心方向への立ち上がり部１ａ，２ａに掛かる帯状部材３６ｄ，３７ｄを挟持力向上部材３６，３７にそれぞれ設けてもよい。
【００１９】
図８は本発明のクリップの第４実施形態を示す断面図である。本実施形態に係るクリップ４０の挟持力向上部材４６，４７は、伝播部４６ｂ，４７ｂがクリップ片１，２の外側の面に沿ってそれぞれ配置されていることの他はクリップ３０と同様の構成とすることができる。
【００２０】
図９は、本発明のクリップの第５実施形態を示す断面図である。第５実施形態に係るクリップ５０の一つの挟持力向上部材５６を備えている。挟持力向上部材５６の滑り止め部５６ａは、クリップ本体５の先端部が開いたときにクリップ片１，２と離間するように設けられている。つまり、滑り止め部５６ａ及び伝播部５６ｂは、クリップ１０の挟持力向上部材６，７の伝播部の一部及び滑り止め部が一体化した形状である。なお、クリップ５０のクリップ片１，２はそれぞれ、被挟持物と接触する部分に滑り止め５１を有することが好ましい。クリップ５０によれば、挟持力向上部材５６の作用によってクリップ本体５の挟持力が向上することに加え、被挟持物とクリップとの接触面積が増えることによって、クリップから被挟持物が外れてしまうことを更に効果的に防止できる。ここで、滑り止め部５６ａは必ずしも一層で構成されていなくてもよい。例えば、図１０に示すように一枚のシートを折り返して滑り止め部とすることができる。
【００２１】
図１１は、本発明のクリップの第６実施形態を示す断面図である。第６実施形態に係るクリップ６０の挟持力向上部材６６は、クリップ片１，２に沿って摺動自在にそれぞれ設けられた滑り止め部６ａ，７ａ及びクリップ本体５の先端部が開いたときにクリップ片１，２と離間するように設けられた滑り止め部５６ａを有している。つまり、クリップ１０の挟持力向上部材６，７及びクリップ５０の挟持力向上部材５６の伝播部の基端側が一体化し、連結された形状である。クリップ６０によれば、挟持力向上部材６６の作用によってクリップ本体５の挟持力が向上することに加え、被挟持物とクリップとの接触面積が増えることによって、クリップから被挟持物が外れてしまうことを更に効果的に防止できる。
【００２２】
本発明において採用できるクリップ本体としては、上記実施形態で採用したクリップ本体５に限定されない。また、本発明においては、クリップ本体の構成に合わせて、好適な構成又は形状からなる挟持力向上部材や固定手段を採用すればよい。
【００２３】
図１２は、本発明のクリップの第７実施形態を示す断面図である。本実施形態に係るクリップ７０のクリップ本体７５は、一対のクリップ片７１，７２と、クリップ片７１，７２が有する凸部７１ａ，７２ａと嵌合して回動支点７８ｓを形成する芯棒７８と、クリップ片７１，７２に対して被挟持物を保持するための押圧力を付与するバネ７３とを備えている。なお、バネ７３は芯棒７８よりも先端側に配置され、その両端はクリップ片７１，７２にそれぞれ固定されている。このため、クリップ本体７５の先端部が開くとバネ７３が縮む方向の力が発生する。
【００２４】
クリップ片７１，７２に装着される挟持力向上部材７６は、クリップ片７１，７２をそれぞれ挿入するための開口７４を有する伝播部７６ｂ，７７ｂ、これらの伝播部の基端側に設けられておりクリップ片７１，７２の基端側の一部を覆う形状の固定手段７６ｃ，７７ｃ、及び、一枚のシートを折り返した構造の滑り止め部７６ａを備えている。なお、クリップ７０の変形例として、クリップ片７１，７２が開口を有し、この開口に挟持力向上部材７６が挿入されている形態であってもよい。
【００２５】
図１３は本発明のクリップの第８実施形態を示す斜視図であり、図１４は本実施形態に係るクリップ８０の断面図である。クリップ８０のクリップ本体８５は、一対のクリップ片８１，８２と、クリップ片８１，８２に対して被挟持物を保持するための押圧力を付与するＣ字状の弾性部材８３とを備えている。クリップ片８１，８２はそれぞれ、嵌合部８１ａ，８２ａを有しており、嵌合部８１ａ，８２ａによって回動支点８８ｓが形成されている。また、クリップ片８１，８２は弾性部材８３を配置するための複数の開口８９を有している。
【００２６】
クリップ８０の挟持力向上部材８６，８７の伝播部８６ｂ，８７ｂはそれぞれ開口８４を有し、開口８４にクリップ片８１，８２が挿入されている。挟持力向上部材８６，８７は、クリップ片８１，８２の外側にそれぞれ設けられたフック８１ｂ，８２ｂ（固定手段）によってクリップ片８１、８２にそれぞれ支持されている。なお、挟持力向上部材８６，８７の滑り止め部８６ａ，８７ａの形状としては、板状に限られず、クリップ２０と同様に滑り止め部がクリップ片８１，８２の先端部の一部を覆うような形状であってもよい。また、滑り止め部８６ａ，８７ａの一部が一体化もしくは連結した形状であってもよい。また、クリップ３０と同様に固定手段が伝播部８６ｂ，８７ｂの基端側に設けられており、クリップ片８１，８２の基端部の一部を覆うような形状であってもよい。
【００２７】
本発明においては、挟持力をより向上させる観点から、一対のクリップ片のなす角が上記クリップ本体５よりも大きいクリップ本体、あるいは、図１５に示すクリップ９０のように一対のクリップ片９１，９２が外側に湾曲した形状であるクリップ本体９５を用いることが好ましい。クリップ片を回転させようとするトルクは、伝播部がクリップ片に固定されている位置と回動支点との距離が離れるに従い大きくなるためである。
【００２８】
図１６は、本発明のクリップの第１０実施形態を示す断面図である。第１０実施形態に係るクリップ１００は挟持力向上部材１０６がバネ１０３の両端部に固定されている点においてクリップ５０と相違する。挟持力向上部材１０６の基端側には複数のリング部１０６ａが、一方、バネ１０３の両端には棒１０３ａが、それぞれ設けられている。リング部１０６ａに棒１０３ａを挿入することで挟持力向上部材１０６がバネ１０３に固定されている。なお、第１０実施形態の挟持力向上部材の形状について、バネ１０３に固定可能な形状であれば、図１６に示す形状に限定されるものではなく、その他の部分の形状は、上述の実施形態で説明した挟持力向上部材の形状を適宜採用することができる。
【００２９】
本発明のハンガーは本発明の上記クリップを備える。ハンガーのクリップ以外の構成としては従来公知の構成を採用することができる。
【００３０】
図１７は、本発明のハンガーの好適な実施形態を示す正面図である。本実施形態に係るハンガー１２０は、本発明のいずれかのクリップ１５０及びハンガー本体２２からなる。ハンガー本体２２はフック２３及び棒２４を備えている。棒２４はクリップ１５０の芯棒としての役割を果たすと共に、フック２３とクリップ１５０とを連結している。なお、芯棒を必要としないクリップ８０を使用する場合には、クリップ８０と棒２４とをチェーンなどによって連結してもよい。
【００３１】
図１８は、本発明のハンガーの好適な他の実施形態を示す正面図である。本実施形態に係るハンガー１３０は、シャツやジャケットなどの衣類を掛けるための着衣掛け部２９を備える点でハンガー１２０と相違する。
【００３２】
なお、本発明のクリップの用途は、衣類に限定されるものではない。本発明のクリップは事務用クリップとしても好適であり、紙などを束ねるのに使用してもよい。
【図面の簡単な説明】
【００３３】
【図１】本発明に係るクリップの第１実施形態を示す斜視図である。
【図２】本発明に係るクリップの第１実施形態の被挟持物を挟んだ状態を示す断面図である。
【図３】本発明に係るクリップのメカニズムを説明する図である。
【図４】本発明に係るクリップの第２実施形態を示す斜視図である。
【図５】本発明に係るクリップの第２実施形態を示す断面図である。
【図６】本発明に係るクリップの第３実施形態を示す断面図である。
【図７】本発明に係るクリップの第３実施形態の変形例を示す断面図である。
【図８】本発明に係るクリップの第４実施形態を示す断面図である。
【図９】本発明に係るクリップの第５実施形態を示す断面図である。
【図１０】本発明に係るクリップの第５実施形態の変形例を示す断面図である。
【図１１】本発明に係るクリップの第６実施形態を示す斜視図である。
【図１２】本発明に係るクリップの第７実施形態を示す断面図である。
【図１３】本発明に係るクリップの第８実施形態を示す斜視図である。
【図１４】本発明に係るクリップの第８実施形態を示す断面図である。
【図１５】本発明に係るクリップの第９実施形態を示す断面図である。
【図１６】本発明に係るクリップの第１０実施形態を示す断面図である。
【図１７】本発明に係るハンガーの好適な一実施形態を示す正面図である。
【図１８】本発明に係るハンガーの好適な他の実施形態を示す正面図である。
【符号の説明】
【００３４】
１，２，７１，７２，８１，８２…クリップ片、５，７５，８５…クリップ本体、６，７，２６，２７，３６，３７，４６，４７，５６，６６，７６，７７，８６，８７，１０６…挟持力向上部材、１０３ａ…棒（両端部）、１０，２０，３０，４０，５０，６０，７０，８０，９０，１００，１５０…クリップ、１２０，１３０…ハンガー。
【図１】
2007209738.tif 000003
【図２】
2007209738.tif 000004
【図３】
2007209738.tif 000005
【図４】
2007209738.tif 000006
【図５】
2007209738.tif 000007
【図６】
2007209738.tif 000008
【図７】
2007209738.tif 000009
【図８】
2007209738.tif 000010
【図９】
2007209738.tif 000011
【図１０】
2007209738.tif 000012
【図１１】
2007209738.tif 000013
【図１２】
2007209738.tif 000014
【図１３】
2007209738.tif 000015
【図１４】
2007209738.tif 000016
【図１５】
2007209738.tif 000017
【図１６】
2007209738.tif 000018
【図１７】
2007209738.tif 000019
【図１８】
2007209738.tif 000020
【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
被挟持物を挟持するためのクリップであって、
一対のクリップ片が互いに回動自在に連結されているクリップ本体と、
前記クリップ本体の挟持力を高めるための挟持力向上部材と、
前記挟持力向上部材を前記クリップ本体に支持させるための固定手段とを備え、
前記挟持力向上部材は、前記クリップ本体の先端部の間に配置され前記被挟持物と共に前記クリップ本体により挟まれる滑り止め部と、前記滑り止め部と連結されると共に前記一対のクリップ片の少なくとも一方とに前記固定手段で固定される伝播部と、を有し、
前記固定手段は、前記滑り止め部が前記被挟持物から受ける摩擦力を、前記伝播部を介して前記クリップ本体に伝えることを特徴とするクリップ。
【請求項２】
二つの前記滑り止め部を備え、前記滑り止め部は前記一対のクリップ片のそれぞれに沿って摺動自在であると共に、前記一対のクリップ片にそれぞれ当接して設けられており、前記被挟持物は二つの前記滑り止め部の間に挟持されることを特徴とする請求項１記載のクリップ。
【請求項３】
前記滑り止め部は、前記クリップ本体の先端部が開いたときに前記一対のクリップ片と離間するように設けられており、前記被挟持物は前記滑り止め部と前記一対のクリップ片との間に挟持されることを特徴とする請求項１記載のクリップ。
【請求項４】
被挟持物を挟持するためのクリップであって、
一対のクリップ片が互いに回動自在に連結されているクリップ本体と、
前記一対のクリップ片の間に配置され、両端部がそれぞれ前記クリップ本体の各クリップ片と当接して前記クリップ本体に挟持力を付与するバネと、
前記クリップ本体の挟持力を高めるための挟持力向上部材と、
前記挟持力向上部材を前記クリップ本体に支持させるための固定手段とを備え、
前記挟持力向上部材は、前記クリップ本体の先端部の間に配置され前記被挟持物と共に前記クリップ本体により挟まれる滑り止め部と、前記滑り止め部と連結されると共に前記バネの両端部の少なくとも一方とに前記固定手段で固定される伝播部と、を有し、
前記固定手段は、前記滑り止め部が前記被挟持物から受ける摩擦力を、前記伝播部及び前記バネを介して前記クリップ本体に伝えることを特徴とするクリップ。
【請求項５】
請求項１〜４のいずれか一項に記載のクリップと、前記クリップを装着するためのハンガー本体とを備えるハンガーであって、前記ハンガー本体は、当該ハンガーを掛けるためのフックと、前記フックと連結され前記クリップの回動支点をなす棒とを有することを特徴とするハンガー。
【手続補正２】
【補正対象書類名】明細書
【補正対象項目名】０００６
【補正方法】変更
【補正の内容】
【０００６】
本発明のクリップは、被挟持物を挟持するためのクリップであって、一対のクリップ片が互いに回動自在に連結されているクリップ本体と、クリップ本体の挟持力を高めるための挟持力向上部材と、挟持力向上部材をクリップ本体に支持させるための固定手段とを備え、挟持力向上部材は、クリップ本体の先端部の間に配置され被挟持物と共にクリップ本体により挟まれる滑り止め部と、滑り止め部と連結されると共に一対のクリップ片の少なくとも一方とに固定手段で固定される伝播部と、を有し、固定手段は滑り止め部が被挟持物から受ける摩擦力を、伝播部を介してクリップ本体に伝えることを特徴とする。なお、本発明のクリップにおいて、被挟持物が挟持される側を先端側といい、その反対側を基端側という。また、クリップの部位に関し、被挟持物を挟持する部分を先端部といい、先端部を開くためにつまむ部分を基端部という。
【手続補正３】
【補正対象書類名】明細書
【補正対象項目名】００１４
【補正方法】変更
【補正の内容】
【００１４】
クリップ１０の挟持力向上部材６，７はそれぞれ、ネジ８によってクリップ片１，２に支持されている。クリップ片１，２と伝播部６ｂ，７ｂとをそれぞれ固定するネジ８は、回動支点１５ｓよりもクリップ本体５の基端側に設けられている。ネジ８は必ずしも基端側に設けられている必要はない。なお、挟持力向上部材をクリップ片に支持させるための固定手段としては、ネジ以外に例えば、接着剤による接着、クリップ片に設けられた金属部材による圧着、及び伝播部に形成された開口をクリップ片に設けられたフックに掛けることなどが挙げられる。